(57)【要約】【課題】  特に抗菌コーティング装置を設けることにより、買物カゴやカートに抗菌剤をコーティングすることができ、より長期的に衛生的に使用できる。  また、抗菌剤を食物性アミノ酸や酸化チタンとすることにより、子供がなめても安全であり、抗菌・脱臭・防カビ効果を得ることができる。【解決手段】  自動車内に、高周波洗浄機あるいは超音波洗浄機あるいはエア爆気洗浄機と、送風乾燥機と、抗菌コーティング装置とを設けてなる。【選択図】  図１
2007054816.tif 000002
【特許請求の範囲】
【請求項１】
自動車内に、高周波洗浄機あるいは超音波洗浄機あるいはエア爆気洗浄機と、送風乾燥機と、抗菌コーティング装置とを設けてなることを特徴とする買物用具用洗浄車。
【請求項２】
自動車内に、高圧洗浄機と、送風乾燥装置と、抗菌コーティング装置とを設けてなることを特徴とする買物用具用洗浄車。
【請求項３】
抗菌コーティング装置が、主成分が食物性アミノ酸であるコーティング剤を使用してなることを特徴とする請求項１又は２記載の買物用具用洗浄車。
【請求項４】
抗菌コーティング装置が、光触媒のコーティング剤を使用してなることを特徴とする請求項１又は２記載の買物用具用洗浄車。
【発明の詳細な説明】
【技術分野】
【０００１】  本発明は、スーパーマーケット等で使用される買物カゴやショッピングカートを洗浄・抗菌し、安心して使用して頂く買物用具用洗浄車に関するものである。
【背景技術】
【０００２】  スーパーマーケットによっては買物カゴを一度も洗浄していないのではないかと思うくらい汚れているものもあり、また、カートにおいても同様な汚れが目立ち、使用者から不満が出ているのが現状である。
従来の技術としては、買物カゴ専用の自動機として、車載可能な大きさの垂直面板を２枚、平行面となるように設置し、両面板の間隔をかごが通過できる程度にあける。この両面板の内面にそれぞれエンドレスのチエンをスプロケットギヤによって取り付けてチエンコンベアーを構成し、この両チエンコンベアーに橋架して取り付けた支持棒にかごの把持機構を取り付ける。この把持機構に買物かごを吊り下げて、両チエンが同方向、同速度で周回し買物かごがこの両面板の間隔を周回できるように構成する。上記のかご周回装置により、先ず洗浄液を満たした洗浄槽に買い物かごを浸けて超音波により洗浄を行い、続いてオゾン水を満たしたオゾン水槽に買い物かごを浸けて超音波により洗浄を行い、続いてオゾン水を満たしたオゾン水槽に買い物かごを浸けて殺菌・消毒を行ない、オゾン水によるシャワーで濯ぎを行なった後、乾燥機の送風口から噴き出す空気で乾燥する機能を有する連続自動洗浄装置を自動車等に搭載して移動可能にした移動式かご自動洗浄機がある。（特許文献１参照）
【特許文献１】  特開２００３−１１２１３５号公報
【発明の開示】
【発明が解決しようとする課題】
【０００３】  上記従来の技術は、超音波洗浄槽、オゾン水殺菌、消毒槽、濯ぎ装置、乾燥装置とから構成されるもので、本発明のような抗菌剤（食物性アミノ酸や光触媒）をコーティングするものではなく、長期間清潔に使用できるものではない。【０００４】  本発明は、上記の問題点に鑑みなされたもので、特に抗菌コーティング装置を設けることにより、買物カゴやショッピングカートに抗菌剤をコーティングすることができ、より長期的に衛生的に使用できるものである。
また、抗菌剤を食物性アミノ酸や光触媒（酸化チタン）とすることにより、子供がなめても安全であり、抗菌・脱臭・防カビ効果を得ることができる。
【課題を解決するための手段】
【０００５】  上記目的を達成するための手段として、自動車内に、高周波洗浄機あるいは超音波洗浄機あるいはエア爆気洗浄機と、送風乾燥機と、抗菌コーティング装置とを設ける。
また、自動車内に、高圧洗浄機と、送風乾燥装置と、抗菌コーティング装置とを設ける。
さらに、抗菌コーティング装置が、主成分が食物性アミノ酸や光触媒（酸化チタン）のコーティング剤を使用してなる。
【発明の効果】
【０００６】  上記の構造により、以下の効果を奏する。
１）、自動車内に、高周波洗浄機あるいは超音波洗浄機あるいはエア爆気洗浄機と、送風乾燥機と、抗菌コーティング装置とを設けることにより、スーパーマーケット等の駐車場にて買物カゴを短時間に効率良く処理できるもので、特に最終工程の抗菌剤のコーティングにて長期に安心して買物カゴを使用できるものである。
２）、自動車内に、高圧洗浄機と、送風乾燥機と、抗菌コーティング装置とを設けることにより、スーパーマーケット等の駐車場にてショッピングカートを短時間に効率良く処理できるもので、特に最終工程の抗菌剤のコーティングにて長期に安心してショッピングカートを使用できるものである。
３）、抗菌剤が、主成分が食物性アミノ酸であるコーティング剤を使用することにより安全で、抗菌、脱臭、防カビを有するものである。
４）、抗菌剤が、光触媒（酸化チタン）を使用することにより、店内等の光により反応し、抗菌、脱臭、防カビ効果を長期間保持できるものである。
【発明の実施するための最良の形態】
【０００７】  買物用具用洗浄車１は、２ｔ〜４ｔのトラック仕様車による自動車２内に、ステンレス等によるケース３ａの底部に超音波振動子３ｂを設け、水あるいはアルコールを入れてなる超音波洗浄機（高周波洗浄機）３と、遠赤外線ヒーター４ａ等を使用しファン４ｂに温風乾燥する送風乾燥機４と、食物性アミノ酸（主に大豆、トウモロコシ、じゃがいもから作られている）を主成分とする抗菌剤５ａを吹き付ける抗菌コーティング装置５を設けてなるものである。
なお、光触媒（酸化チタン）を使用するのも一考である。
また、超音波洗浄機（高周波洗浄機）３とは別に、泡発生器をケース３ａ内に入れ、コンプレッサー等にて空気を圧送させ、小さな泡を水中に発生させるエア爆気洗浄機を使用してもよい。
【０００８】  次に、他の実施例を説明する。
買物用具用洗浄車２１は主にショッピングカートの洗浄等を行うものとして、買物用具用洗浄車１に高圧洗浄機６を設けたもので、例えば高圧洗浄機６としては、エンジン式あるいはモーター式とし、圧力５０ｋｇ／ｃｍ２〜１００ｋｇ／ｃｍ２、吸水量２０Ｌ／ｍｉｎ〜３０Ｌ／ｍｉｎ等が適当と思われる。
なお、買物用具用洗浄車１の超音波洗浄機（高周波洗浄機）３を取り外した仕様も一考である。
【０００９】  上記買物用具用洗浄車１及び買物用具用洗浄車２１の作業例について下記に述べる。
買物用具用洗浄車１の場合、自動車２を走らせ、例えばスーパーマーケットの駐車場に止め作業を行う。
まず、自動車２の天井に設けたレールＲにて左右に移動するパレットＰに複数個（例えば３０個位）の買物カゴＫを載せ、超音波洗浄機（高周波洗浄機）３内に入れ、超音波振動子３ｂを作動させ、全体的な汚れを落とす。
つぎに、送風乾燥機４内に買物カゴＫ１を移動させて入れ、遠赤外線温風にて乾燥させる。
最後に、抗菌コーティング装置５にて抗菌剤５ａ（食物性アミノ酸や光触媒）を吹き付け買物カゴＫ２の表面に抗菌剤５ａをコーティングすることにより抗菌買物カゴＫ３を加工することができる。
【００１０】  買物用具用洗浄車２１の場合、まず、天井に設けたレールＲ１にて左右に移動するフック枠ＦにショッピングカートＳＫを引っ掛け、入れ込み、高圧洗浄する。
つぎに、上記同様に送風乾燥機４内にてショッピングカートＳＫ１を乾燥させる。
最後に、上記同様に抗菌コーティング装置５にてショッピングカートＳＫ２に抗菌剤５ａをコーティングし、抗菌ショッピングカートＳＫ３を加工することができるものである。
【００１１】  上記各実施例において、高周波洗浄機あるいは超音波洗浄機あるいはエア爆気洗浄機、送風乾燥機、抗菌コーティング装置、高圧洗浄機等の性能や大きさ等は、必要に応じて決めればよい。
また、移動方法としてレール方式に限定することなく、別の方式を設定してもよい。
さらに、自動車内のみで作業を行うのではなく、車外に機械や装置を出しての作業も可能とする。
【図面の簡単な説明】
【００１２】
【図１】    本発明の実施形態を示す買物用具用洗浄車の平面図。
【図２】    本発明の実施形態を示す買物用具用洗浄車の作業工程図。
【図３】    本発明の実施形態を示す買物用具用洗浄車の別の作業工程図。
【符号の説明】
【００１３】  １−−−買物用具用洗浄車
２−−−自動車
３−−−超音波洗浄機（高周波洗浄機）
３ａ−−ケース
３ｂ−−超音波振動子
４−−−送風乾燥機
４ａ−−遠赤外線ヒーター
４ｂ−−ファン
５−−−抗菌コーティング装置
５ａ−−抗菌剤
６−−−高圧洗浄機
Ｒ−−−レール
Ｐ−−−パレット
Ｋ−−−買物カゴ
Ｆ−−−フック枠
ＳＫ−−ショッピングカート
【図１】
2007054816.tif 000003
【図２】
2007054816.tif 000004
【図３】
2007054816.tif 000005